(57)【要約】【課題】鍵を持っていない者であっても、カバーを中間位置まで開くことができるエレベータかご用の操作ユニットを提供する。【解決手段】操作ユニット１０は、エレベータかご内に設けられる操作盤２と、カバー３と、を備える。カバー３は、操作盤２の正面２０１のカバー領域２１の全域を覆い隠す閉位置と、カバー領域２１の第１領域２２を露出させるとともに第２領域２３を覆い隠す中間位置と、カバー領域２１の全域を露出させる開位置と、の間をスライド可能である。カバー３は、閉位置に保持させる閉位置保持部６と、その保持を回転操作により解除する摘まみ７１と、を有する。操作盤２は、カバー３が中間位置から開位置の方へ移動するのを規制する中間位置規制ラッチ８とその規制を解除する錠部９と、を有する。錠部９は、第１領域２２に露出する鍵穴５３を有する。【選択図】図３
2018177386.tif 000002
【特許請求の範囲】
【請求項１】
エレベータかご内に設けられる操作盤と、
前記操作盤の正面の一部または全部からなるカバー領域を覆い隠すかまたは露出させるカバーと、を備え、
前記カバーは、前記カバー領域の第１領域および第２領域を覆い隠す閉位置と、前記第１領域を露出させるとともに前記第２領域を覆い隠す中間位置と、前記第１領域および前記第２領域を露出させる開位置と、の間をスライド可能であり、
前記カバーは、前記カバーを前記閉位置に保持させる閉位置保持部と、前記閉位置保持部による前記カバーの前記閉位置への保持を回転操作により解除する、正面側に露出する摘まみと、を有し、
前記操作盤は、裏面側に、前記カバーが前記中間位置から前記開位置の方へ移動するのを規制する中間位置規制ラッチと、前記中間位置規制ラッチを移動させて前記カバーの前記中間位置から前記開位置への移動の規制を解除する錠部と、を有し、
前記錠部は、前記操作盤の正面側の前記第１領域に露出する鍵穴を有し、前記鍵穴に挿入された鍵の動作により前記中間位置規制ラッチを移動させるものであることを特徴とするエレベータかご用の操作ユニット。
【請求項２】
前記錠部は、前記鍵穴に挿入された前記鍵の回転により回転する軸部と、前記軸部の回転により回転するアームと、前記アームに一端側の部分が連結されるリンクと、を有し、
前記操作盤の裏面側に、一端側に前記中間位置規制ラッチを有するレバーの回転中心となる中間部が回転可能に支持され、
前記レバーの他端側の部分に前記リンクの他端側の部分が連結されることを特徴とする請求項１記載のエレベータかご用の操作ユニット。
【発明の詳細な説明】
【技術分野】
【０００１】
本発明は、エレベータかご用の操作ユニットに関する。
【背景技術】
【０００２】
従来、操作盤の鍵穴に鍵を挿入して解錠することで、操作盤カバーを開けることが可能となるエレベータかご用の操作ユニットが知られている（例えば特許文献１参照）。
【０００３】
この特許文献１に記載された操作盤カバーは、中間位置で一旦停止して半開状態となり、戸開放スイッチ等の管理上必要最小限のスイッチが露出するようになり、管理者は戸開放スイッチ等のスイッチを動作させることが可能となる。さらに、管理者は、内部にあるロック装置カム開放スイッチを動作させることにより、操作盤カバーを全開状態とすることができる。操作盤カバーが全開状態となると、保守点検時にのみ使用する保守用スイッチが露出するようになり、管理者は保守用スイッチを動作させることが可能となる。
【先行技術文献】
【特許文献】
【０００４】
【特許文献１】特開平７−２５７８４０号公報
【発明の概要】
【発明が解決しようとする課題】
【０００５】
しかしながら、いずれにしても、鍵を持った者でなければ操作盤カバーを全く開けることができず、いずれのスイッチも動作させることができないものであった。
【０００６】
本発明は上記従来の問題点に鑑みて発明したものであって、その目的とするところは、鍵を持っていない者であっても、カバーを閉位置と開位置の間の中間位置まで開くことができるエレベータかご用の操作ユニットを提供することにある。
【課題を解決するための手段】
【０００７】
上記課題を解決するために、本発明に係る一形態のエレベータかご用の操作ユニットは、操作盤と、カバーと、を備える。
【０００８】
操作盤は、エレベータかご内に設けられる。カバーは、前記操作盤の正面の一部または全部からなるカバー領域を覆い隠すかまたは露出させる。
【０００９】
前記カバーは、前記カバー領域の第１領域および第２領域を覆い隠す閉位置と、前記第１領域を露出させるとともに前記第２領域を覆い隠す中間位置と、前記第１領域および前記第２領域を露出させる開位置と、の間をスライド可能である。
【００１０】
前記カバーは、前記カバーを前記閉位置に保持させる閉位置保持部と、前記閉位置保持部による前記カバーの前記閉位置への保持を回転操作により解除する、正面側に露出する摘まみと、を有する。
【００１１】
前記操作盤は、裏面側に、前記カバーが前記中間位置から前記開位置の方へ移動するのを規制する中間位置規制ラッチを有する。前記操作盤は、前記中間位置規制ラッチを移動させて前記カバーの前記中間位置から前記開位置への移動の規制を解除する錠部を有する。
【００１２】
前記錠部は、前記操作盤の正面側の前記第１領域に露出する鍵穴を有し、前記鍵穴に挿入された鍵の動作により前記中間位置規制ラッチを移動させるものである。
【発明の効果】
【００１３】
本発明に係る一形態のエレベータかご用の操作ユニットにあっては、鍵を持っていない者であっても、カバーを閉位置と開位置の間の中間位置まで開くことができ、鍵を持った者であれば、さらにカバーを開位置まで開くことができる。また、使用者は、摘まみを摘まんで回転させてカバーの閉位置への保持を解除した後、摘まみを摘まんだままカバーをスライドさせることができるため、ワンタッチで操作がしやすい。
【図面の簡単な説明】
【００１４】
【図１】図１は、本発明の一実施形態に係るエレベータかご用の操作ユニットを設けたエレベータかご内の一部を示す斜視図である。
【図２】図２Ａは、同上の操作ユニットのカバーが閉位置に位置する状態の正面図である。図２Ｂは、同上の操作ユニットのカバーが閉位置に位置する状態の裏面図である。
【図３】図３Ａは、同上の操作ユニットのカバーが中間位置に位置する状態のカバー領域の正面図である。図３Ｂは、同上の操作ユニットのカバーが開位置に位置する状態のカバー領域の正面図である。
【図４】図４Ａは、同上の操作ユニットのカバーが閉位置に位置する状態を正面側から見た要部斜視図である。図４Ｂは、同上の操作ユニットのカバーが閉位置に位置するとともに閉位置保持部によりカバーが閉位置に保持されている状態を裏面側から見た要部斜視図である。図４Ｃは、同上の操作ユニットのカバーが閉位置に位置するとともに閉位置保持部によるカバーの閉位置への保持が解除された状態を裏面側から見た要部斜視図である。
【図５】図５Ａは、同上の操作ユニットのカバーが中間位置に位置する状態を正面側から見た要部斜視図である。図５Ｂは、同上の操作ユニットの中間位置に位置するカバーが中間位置規制ラッチにより開位置の方へ移動するのが規制された状態を裏面側から見た要部斜視図である。
【図６】図６Ａは、同上の操作ユニットの鍵穴に鍵を挿入した状態を正面側から見た要部斜視図である。図６Ｂは、同上の操作ユニットの中間位置に位置するカバーが中間位置規制ラッチにより開位置の方へ移動するのが規制された状態の裏面図である。図６Ｃは、同上の操作ユニットの中間位置に位置するカバーの中間位置規制ラッチによる移動の規制が解除された状態の裏面図である。
【図７】図７Ａは、同上の操作ユニットのカバーが開位置に位置する状態を正面側から見た要部斜視図である。図７Ｂは、同上の操作ユニットのカバーが開位置に位置する状態を裏面側から見た要部斜視図である。
【発明を実施するための形態】
【００１５】
本発明は、エレベータかご用の操作ユニットに関し、さらに詳しくは、操作盤とカバーとを備えるエレベータかご用の操作ユニットに関する。
【００１６】
以下、本発明に係るエレベータかご用の操作ユニットの一実施形態について、図１〜図７に基いて説明する。
【００１７】
エレベータかご１は、図１に示すように、床部１１、側壁部１２および天井部１３を備えている。側壁部１２の一部には出入口１４が形成され、この出入口１４を開閉する扉１５が設けられる。エレベータかご用の操作ユニット１０は、主に側壁部１２に設けられる。
【００１８】
図２Ａに示すように、操作ユニット１０は、操作盤２と、カバー３と、を備える。
【００１９】
操作盤２は、エレベータかご１内に設けられるものである。操作盤２は、その正面２０１がエレベータかご１内の空間に面して、エレベータかご１内にいる使用者が操作することができるように設けられる。操作盤２は、正面視矩形状をしている。操作盤２は、いわゆるＳＵＳにより形成されている。
【００２０】
操作盤２には、操作部４が設けられるとともに、その他の機能部５として、表示部５１、通信部５２が設けられている。
【００２１】
操作部４は、各種のボタン、スイッチ、摘まみ、タッチパネル等、使用者が操作するものであり、種類は限定されない。本実施形態では、図２Ａに示すように、操作部４として、操作盤２に常に露出するように、操作盤２の正面２０１のカバー３に覆い隠されない位置に、行き先階ボタン４１、ひらくボタン４２および呼び出しボタン４３が設けられている。
【００２２】
これらの行き先階ボタン４１、ひらくボタン４２および呼び出しボタン４３は、通常の使用時に使用されることを想定して設けられている。
【００２３】
また、操作盤２の正面２０１のカバー３に覆い隠される位置には、通常の使用時に使用されることを想定していない操作部４が設けられており、この点については後述する。
【００２４】
表示部５１は、液晶パネル、７セグメント、ＬＥＤランプ等、使用者が視認するものであり、種類は限定されない。本実施形態では、図２Ａに示すように、表示部５１として、エレベータかご１が位置している階および行き先等を表示する液晶パネル５１０が設けられている。
【００２５】
通信部５２は、マイク、スピーカをはじめとする入出力手段により、使用者が外部の管理者と通信するものであり、種類は限定されない。本実施形態では、図２Ａに示すように、無線または有線により外部の管理者側のスピーカおよびマイクと接続されるマイク５２１およびスピーカ５２２が設けられている。
【００２６】
カバー３は、図２Ａに示すように、操作盤２の正面２０１の一部からなる領域を覆い隠すかまたは露出させることが選択的に可能である。カバー３により選択的に覆い隠すことができる領域をカバー領域２１とする。カバー領域２１およびカバー３は、正面視矩形状をしている。
【００２７】
カバー３は、いわゆるＳＵＳにより形成されている。カバー３は、操作盤２の正面２０１側に位置して、操作盤２に対してスライドするように設けられる。カバー３は、図２Ａに示す閉位置と、図３Ａに示す中間位置と、図３Ｂに示す開位置と、の間をスライド可能である。閉位置は、図２Ａに示すように、カバー領域２１の全領域を覆い隠す位置である。中間位置は、図３Ａに示すように、カバー領域２１のうちの第１領域２２を露出させるとともに第２領域２３を覆い隠す位置である。開位置は、図３Ｂに示すように、カバー領域２１の全領域を露出させる位置である。言い換えると、カバー領域２１のうち、中間位置に位置するカバー３により覆い隠されずに露出する領域が第１領域２２であり、中間位置に位置するカバー３により覆い隠される領域が第２領域２３である。また、閉位置に位置するカバー３は、第１領域２２および第２領域２３を覆い隠し、開位置に位置するカバー３は、第１領域２２および第２領域２３を露出させることになる。
【００２８】
第１領域２２には、図３Ａ、図３Ｂに示すように、操作部４として、ファン起動停止スイッチ４４、エレベータかご強制上昇ボタン４５およびエレベータかご強制下降ボタン４６が設けられている。また、第１領域２２には、その他の機能部５として、鍵穴５３が設けられている。ファン起動停止スイッチ４４、エレベータかご強制上昇ボタン４５およびエレベータかご強制下降ボタン４６は、通常の使用者が通常の使用時に使用することを想定していないものの、非常時には通常の使用者が使用することができるように設けられている。
【００２９】
第２領域２３には、図３Ｂに示すように、操作部４として、保守用スイッチ４７が設けられている。また、第２領域２３には、その他の機能部５として、エレベータの制御部（不図示）の操作端末（不図示）を電気的に接続するための接続部５４が設けられている。保守用スイッチ４７および接続部５４は、通常の使用者ではなく、保守者または管理者をはじめとする特定の者（管理者等という）が使用することを想定しており、通常の使用者は後述する鍵９０（図３Ｂ参照）を所有していない。このため、通常の使用者は、非常時であっても保守用スイッチ４７および接続部５４を使用することができない。
【００３０】
カバー３は、図４Ｂ、図４Ｃに示すように、カバー３を閉位置に保持させる閉位置保持部６を有する。また、図２Ａ、図４Ａに示すように、カバー３は、閉位置保持部６によるカバー３の閉位置への保持を解除する、正面側に露出する閉位置保持解除操作部７を有する。
【００３１】
図４Ｂ、図４Ｃに示すように、カバー３は、裏面側に、閉位置保持部６として、回転可能なフック部６１を有する。カバー３には、カバー３を正面から裏面に貫通して、軸回りに回転可能な軸部６２が設けられる。フック部６１は、この軸部６２の裏面側に突出した部分に、軸部６２と一体的に設けられる。また、軸部６２の正面側に突出した部分に、図４Ａに示すように、閉位置保持解除操作部７として、カバー３の閉位置への保持を回転操作により解除する摘まみ７１が、軸部６２と一体的に設けられる。
【００３２】
図４Ｂは、カバー３が閉位置に位置するとともに、フック部６１からなる閉位置保持部６によりカバー３が閉位置に保持されている状態を示す。図４Ｂに示す状態では、フック部６１は、操作盤２の裏面２０２に設けられている引っ掛かり部２４に引っ掛かる状態となっており、カバー３が閉位置から中間位置へとスライドしようとしても、フック部６１が引っ掛かり部２４に引っ掛かってスライドができない。閉位置保持部６が設けられることにより、不用意にカバー３が閉位置から開いてしまうことが抑制される。
【００３３】
使用者が、カバー３を閉位置から中間位置へとスライドさせるには、摘まみ７１を摘まんで図４Ａに示す矢印の方に回転させる。摘まみ７１が回転すると、軸部６２を介してフック部６１が図４Ｂに示す状態から図４Ｃに示す状態へと回転して、フック部６１が引っ掛かり部２４に引っ掛からない状態となり、カバー３の閉位置への保持が解除される。使用者は、摘まみ７１を摘まんで図４Ｃに示す状態を保持して、図３Ａ、図５Ａ、図５Ｂに示す中間位置へとカバー３をスライドさせることができる。
【００３４】
閉位置から中間位置にスライドしたカバー３は、図５Ｂに示すように、操作盤２が裏面２０２側に有する、カバー３が中間位置から開位置の方へ移動するのを規制する中間位置規制ラッチ８により移動が規制される。また、操作盤２は、中間位置規制ラッチ８を移動させてカバー３の中間位置から開位置への移動の規制を解除する錠部９を有する。また、錠部９は、図５Ａに示すように、操作盤２の正面２０１側の第１領域２２に露出する上述した鍵穴５３を有し、鍵穴５３に挿入された鍵９０の動作により中間位置規制ラッチ８を移動させるものであり、以下に説明する。
【００３５】
本実施形態では、操作盤２は、図５Ａ、図５Ｂに示すように、操作盤本体２Ａと、操作盤本体２Ａに一体的に固定された取付板２Ｂと、により構成される。操作盤本体２Ａは、図２Ａに示すように、正面視矩形状をした平板により構成される。
【００３６】
操作盤本体２Ａの行き先階ボタン４１、ひらくボタン４２および呼び出しボタン４３に対応する位置にそれぞれ、裏面２０２側から正面２０１側にかけて貫通する開口が形成されている。図２Ｂに示すように、操作盤本体２Ａの裏面２０２側には、対応する各開口の周縁部にそれぞれ行き先階ボタン４１、ひらくボタン４２および呼び出しボタン４３の基板等の機器を有する本体部４１１、４２１、４３１が取り付けられる。図２Ａに示すように、各本体部４１１、４２１、４３１から各開口を介して前方（すなわち裏面２０２側を基準としたときの正面２０１側の方）にそれぞれ行き先階ボタン４１、ひらくボタン４２および呼び出しボタン４３が露出する。なお、本実施形態では、図４Ａに示すように、行き先階ボタン４１、ひらくボタン４２および呼び出しボタン４３は各開口を介して前方に露出するのみならず操作盤本体２Ａから前方に突出しているが、特に突出する必要はない。
【００３７】
また、図２Ｂに示すように、操作盤本体２Ａの液晶パネル５１０に対応する位置にも、裏面２０２側から正面２０１側にかけて貫通する開口が形成されている。操作盤本体２Ａの裏面２０２側には、この開口の周縁部に液晶パネル５１０の本体部５１１が取り付けられる。図２Ａに示すように、開口を介して前方に液晶パネル５１０が露出する。
【００３８】
また、図２Ａに示すように、操作盤本体２Ａのマイク５２１およびスピーカ５２２に対応する位置にもそれぞれ、裏面２０２側から正面２０１側にかけて貫通する開口２５、２６が形成されている。図２Ｂに示すように、操作盤本体２Ａの裏面２０２側には、対応する開口２５、２６の周縁部にそれぞれマイク５２１の本体部とスピーカ５２２の本体部とが取り付けられる。図２Ａに示すように、マイク５２１の本体部へは、前方から開口２５を介して音声が伝播する。スピーカ５２２の本体部からの音声は、開口２６を介して前方に伝播する。
【００３９】
また、図５Ａに示すように、操作盤本体２Ａのカバー領域２１に対応する位置にも、裏面２０２側から正面２０１側にかけて貫通する開口２７が形成されている。図５Ａ、図５Ｂに示すように、操作盤本体２Ａの裏面２０２側には、この開口２７の周縁部に取付板２Ｂが取り付けられる。取付板２Ｂは開口２７の後方に位置して、開口２７を介して取付板２Ｂの正面が前方に露出し、この前方に露出する取付板２Ｂの正面がカバー領域２１となる。
【００４０】
正面視において、カバー３は開口２７よりも大きい。カバー３は、操作盤本体２Ａの開口２７の周縁部の裏面２０２と、取付板２Ｂの正面との間に挟まれて、カバー３が前後へ抜けるのが防止されるとともに、左右方向へスライド可能に保持されている。
【００４１】
図４Ｂに示すように、取付板２Ｂの左右方向の端部に位置する側板２８には、フック部６１が挿通する開口２８０が形成されている。この側板２８の開口２８０の周縁部が、フック部６１が引っ掛かる引っ掛かり部２４となる。
【００４２】
図３Ｂに示すように、取付板２Ｂのファン起動停止スイッチ４４、エレベータかご強制上昇ボタン４５およびエレベータかご強制下降ボタン４６に対応する位置にそれぞれ、裏面側から正面側にかけて貫通する開口が形成されている。図２Ｂに示すように、取付板２Ｂの裏面側には、対応する各開口の周縁部にそれぞれファン起動停止スイッチ４４の本体部４４１、エレベータかご強制上昇ボタン４５の本体部４５１およびエレベータかご強制下降ボタン４６の本体部４６１が取り付けられる。図３Ａに示すように、各開口を介して前方にそれぞれファン起動停止スイッチ４４、エレベータかご強制上昇ボタン４５、エレベータかご強制下降ボタン４６が露出する。
【００４３】
図３Ｂに示すように、取付板２Ｂの鍵穴５３、接続部５４および保守用スイッチ４７に対応する位置にそれぞれ、裏面側から正面側にかけて貫通する開口が形成されている。図２Ｂに示すように、取付板２Ｂの裏面側には、対応する各開口の周縁部にそれぞれ錠部９、接続部５４の本体部５４１および保守用スイッチ４７の本体部４７１が取り付けられる。図３Ｂに示すように、各開口を介して前方にそれぞれ鍵穴５３、接続部５４および保守用スイッチ４７が露出する。
【００４４】
錠部９は、本実施形態では、図５Ｂに示すように、軸部９１と、アーム９２と、リンク９３と、を有する。軸部９１は、鍵穴５３に挿入された鍵９０の回転により回転する。アーム９２は、軸部９１の回転により回転する。リンク９３は、アーム９２の軸部９１から離れた部分に一端側の部分が連結される。
【００４５】
また、操作盤２の裏面２０２側に、一端側に中間位置規制ラッチ８を有するレバー８１の回転中心８０となる中間部が回転可能に支持される。レバー８１の他端側の部分には、リンク９３の他端側の部分が連結される。
【００４６】
カバー３は、中間位置規制ラッチ８により中間位置から開位置への移動が規制されるのであるが、中間位置規制ラッチ８にカバー３の接触部３１が接触することで、カバー３のそれ以上の移動が規制される。接触部３１は、カバー３と一体にカバー３から裏面側に突出している。接触部３１は、取付板２Ｂに形成されたスリット２９を挿通して、操作盤２の裏面２０２側に突出している。スリット２９は、その長手方向が左右方向を向くように形成されており、長手方向に所定の長さを有している。このスリット２９に接触部３１が挿通されることにより、カバー３の左右方向のストロークが定まる。
【００４７】
図５Ｂに示すように、中間位置に位置して中間位置規制ラッチ８により移動が規制されるカバー３を開位置に移動させるには、中間位置規制ラッチ８による移動の規制を解除する必要がある。これにはまず、図６Ａに示すように、鍵９０を持った管理者等は、鍵穴５３に鍵９０を挿入して、矢印に示す方向に鍵９０を回転させる。鍵９０が回転すると、軸部９１が鍵９０とともに回転し、アーム９２が軸部９１とともに回転する。このとき、図６Ｂに示す状態から、アーム９２の回転とともにリンク９３が引っ張られて、図６Ｃに示す状態に移行する。リンク９３が移動すると、他端側にリンク９３が連結されているレバー８１が回転中心８０を中心として回転し、図６Ｃに示すように、中間位置規制ラッチ８がスリット２９と重なる位置から外れる。
【００４８】
図６Ｃに示す状態となると、接触部３１のスリット２９に沿った移動の規制が解除される。管理者等は、図７Ａ、図７Ｂに示すように、カバー３を中間位置から開位置の方へ移動させることができる。
【００４９】
このような操作ユニット１０にあっては、通常の使用時においては、図２に示すように、カバー３が閉位置に位置するとともに、閉位置保持部６によりカバー３の閉位置への保持がなされている。この状態では、カバー３に覆い隠されるカバー領域２１に設けられたエレベータかご強制上昇ボタン４５等の操作部４はエレベータかご１内に露出せず、エレベータかご１内にいる使用者が操作することができない。つまり、カバー領域２１に設けられる操作部４およびその他の機能部５は、使用者が、通常の使用時において使用する必要がないものである。
【００５０】
通常の使用時においては、使用者は、操作盤２のカバー領域２１以外の部分に設けられる行き先階ボタン４１等の操作部４を操作する。つまり、通常の使用時において使用する操作部４およびその他の機能部５は、カバー３が閉位置に位置しても覆い隠されないカバー領域２１以外の部分に設けられる。
【００５１】
使用者が内部に乗っているエレベータかご１が、例えば１階停止位置と２階停止位置の間で非常停止した場合、使用者は、呼び出しボタン４３を押す。呼び出しボタン４３が押されると、外部の管理者にその旨の通報がなされ、マイク５２１およびスピーカ５２２を通じて外部の管理者と通話をすることが可能となる。外部の管理者は、使用者に、閉位置保持解除操作部７の摘まみ７１を摘まんで回転させて、カバー３を開くように指示する。このとき、本実施形態では、使用者は、摘まみ７１を摘まんで回転させてカバー３の閉位置への保持を解除した後、摘まみ７１を摘まんだままカバー３をスライドさせることができるため、ワンタッチで操作がしやすい。
【００５２】
使用者がカバー３をスライドさせて、図５Ｂに示すように、カバー３が中間位置に位置すると、接触部３１が中間位置規制ラッチ８に接触して、それ以上のカバー３の移動が規制される。図３Ａに示すように、カバー３が中間位置に位置すると、カバー領域２１のうちの第１領域２２のみが露出し、エレベータかご強制下降ボタン４６等が操作可能となる。外部の管理者は、使用者に、エレベータかご強制下降ボタン４６を押すように指示する。使用者がエレベータかご強制下降ボタン４６を押すと、エレベータかご１が１階停止位置まで移動して停止して扉１５が開き（図１参照）、使用者はエレベータかご１から出ることができる。
【００５３】
このような非常時においても、通常の使用者は、保守用スイッチ４７等を使用する必要はなく、むしろ、通常の使用者が保守用スイッチ４７等を使用できることは好ましくない。このため、通常の使用者には鍵９０が渡されておらず、鍵９０を持っていない使用者は、図３Ｂに示す保守用スイッチ４７等を使用できる開位置にまでカバー３をスライドさせることはできない。
【００５４】
保守時またはその他の非常時等において、鍵９０を持った管理者等のみが、カバー３を開位置にまでスライドさせて、保守用スイッチ４７等を使用することができる。
【００５５】
次に、上記実施形態の変形例について説明する。
【００５６】
操作ユニット１０は、上記実施形態においては側壁部１２に設けられているが、床部１１または天井部１３に設けられてもよく、設けられる位置は限定されない。
【００５７】
操作盤２は、上記実施形態では、正面視矩形状をしているが、正面視形状は特に限定されない。
【００５８】
操作盤２には、その他の機能部５として、表示部５１、通信部５２および鍵穴５３以外の機能部が設けられてもよいし、その他の機能部５が設けられなくてもよく、少なくとも操作部４が設けられればよい。表示部５１、通信部５２および鍵穴５３以外の機能部としては、例えば、表示部５１に代えてまたは表示部５１とともに設けられ、音声により報知を行うスピーカ等からなる音声報知部が挙げられるが、特に限定されない。
【００５９】
カバー領域２１およびカバー３は、上記実施形態では、正面視矩形状をしているが、正面視形状は特に限定されない。
【００６０】
操作盤２およびカバー３は、上記実施形態では、ＳＵＳにより形成されているが、アルミニウム等の各種金属または合金、樹脂、木材または木質材、これらが組み合わされた材料等により形成されてもよく、材料は特に限定されない。また、操作盤２とカバー３とは、同じ材料により形成されることが好ましいが、異なる材料で形成されてもよい。
【００６１】
カバー３に覆い隠されるカバー領域２１は、上記実施形態では、操作盤２の正面２０１の一部であるが、操作盤２の正面２０１の全部であってもよい。
【００６２】
上記実施形態では、カバー３が操作盤本体２Ａと取付板２Ｂとの間に挟まれて、カバー３が左右方向へスライド可能となっているが、このような構成に限定されない。例えばカバー３がローラを備えるとともに操作盤２がガイドレールを備え、ローラがガイドレールに沿って移動することによりカバー３が左右方向にスライド可能となってもよい。
【００６３】
上記実施形態では、中間位置規制ラッチ８がレバー８１等により構成されるとともに、錠部９がアーム９２およびリンク９３を有していたが、中間位置規制ラッチ８および錠部９は上記実施形態のような構成に限定されない。
【００６４】
以上、述べた上記実施形態およびその変形例から明らかなように、第１の態様のエレベータかご用の操作ユニット１０は、操作盤２と、カバー３と、を備える。
【００６５】
操作盤２は、エレベータかご１内に設けられる。
【００６６】
カバー３は、操作盤２の正面２０１の一部または全部からなるカバー領域２１を覆い隠すかまたは露出させる。
【００６７】
カバー３は、カバー領域２１の第１領域２２および第２領域２３を覆い隠す閉位置と、第１領域２２を露出させるとともに第２領域２３を覆い隠す中間位置と、第１領域２２および第２領域２３を露出させる開位置と、の間をスライド可能である。
【００６８】
カバー３は、カバー３を閉位置に保持させる閉位置保持部６と、閉位置保持部６によるカバー３の閉位置への保持を回転操作により解除する正面側に露出する摘まみ７１と、を有する。
【００６９】
操作盤２は、裏面２０２側に、カバー３が中間位置から開位置の方へ移動するのを規制する中間位置規制ラッチ８を有する。操作盤２は、中間位置規制ラッチ８を移動させてカバー３の中間位置から開位置への移動の規制を解除する錠部９を有する。
【００７０】
錠部９は、操作盤２の正面２０１側の第１領域２２に露出する鍵穴５３を有し、鍵穴５３に挿入された鍵９０の動作により中間位置規制ラッチ８を移動させるものである。
【００７１】
第１の態様によれば、鍵９０を持っていない者であっても、カバー３を中間位置まで開くことができて、第１領域２２に設けられる操作部４または機能部５を使用することができる。また、鍵９０を持った者であれば、さらにカバー３を開位置まで開くことができて、第２領域２３に設けられる操作部４または機能部５を使用することができる。また、使用者は、摘まみ７１を摘まんで回転させてカバー３の閉位置への保持を解除した後、摘まみ７１を摘まんだままカバー３をスライドさせることができるため、ワンタッチで操作がしやすい。
【００７２】
第２の態様では、第１の態様との組み合わせにより実現される。第２の態様では、錠部９は、鍵穴５３に挿入された鍵９０の回転により回転する軸部９１と、軸部９１の回転により回転するアーム９２と、アーム９２に一端側の部分が連結されるリンク９３と、を有する。
【００７３】
操作盤２の裏面側に、一端側に中間位置規制ラッチ８を有するレバー８１の回転中心８０となる中間部が回転可能に支持される。
【００７４】
レバー８１の他端側の部分にリンク９３の他端側の部分が連結される。
【００７５】
第２の態様によれば、中間位置規制ラッチ８および錠部９を簡単な構造とすることができる。
【符号の説明】
【００７６】
１    エレベータかご
１０  操作ユニット
２    操作盤
２０１  正面
２０２  裏面
２１  カバー領域
２２  第１領域
２３  第２領域
３    カバー
５３  鍵穴
６    閉位置保持部
７１  摘まみ
８    中間位置規制ラッチ
９    錠部
９０  鍵
【図１】
2018177386.tif 000003
【図２】
2018177386.tif 000004
【図３】
2018177386.tif 000005
【図４】
2018177386.tif 000006
【図５】
2018177386.tif 000007
【図６】
2018177386.tif 000008
【図７】
2018177386.tif 000009